(57)【要約】【課題】全ての緑化植物に確実に灌水することが可能な、壁面緑化設備の植栽ブロック受け皿を提供する。【解決手段】建物の外壁面Ｗに支持させて設けられ、植栽ブロック４がその上に配置される、壁面緑化設備１に使用される植栽ブロック受け皿３であって、灌水を貯留する貯留部３ｈと、植栽ブロックが配置される皿底部３ｄと、皿底部の建物外壁面側縁辺から立設された背板３ａとを備え、背板には、下半部に堰部３ｆが、上半部に外壁面側に向かって傾斜させて受水部３ｇが形成されている。【選択図】図２
2006129846.tif 000002
【特許請求の範囲】
【請求項１】
建物の外壁面に支持させて設けられ、植栽ブロックがその上に配置される、壁面緑化設備に使用される植栽ブロック受け皿であって、灌水を貯留する貯留部と、上記植栽ブロックが配置される皿底部と、該皿底部の上記建物外壁面側縁辺から立設された背板とを備え、該背板には、下半部に堰部が、上半部に上記外壁面側に向かって傾斜させて受水部が形成されていることを特徴とする壁面緑化設備の植栽ブロック受け皿。
【請求項２】
前記堰部には、前記貯留部に余剰に貯留された灌水を溢水する溢水孔が設けられ、前記受水部は、直上の堰部の溢水孔からの溢水を受水すべく溢水孔に臨ませて配置されることを特徴とする請求項１に記載の壁面緑化設備の植栽ブロック受け皿。
【請求項３】
前記皿底部は、前記建物の外壁面側縁辺から、反対側の前面側縁辺にかけて上昇するように傾斜されていることを特徴とする請求項１または２に記載の壁面緑化設備の植栽ブロック受け皿。
【請求項４】
前記皿底部の前面側縁辺には、植栽ブロック脱落防止部が立設されることを特徴とする請求項１〜３いずれかの項に記載の壁面緑化設備の植栽ブロック受け皿。
【請求項５】
前記植栽ブロック受け皿は横長形状に形成されるとともに、該植栽ブロック受け皿の長手方向には前記植栽ブロックが複数配列されることを特徴とする請求項１〜４いずれかの項に記載の壁面緑化設備の植栽ブロック受け皿。
【請求項６】
前記堰部に設けられた溢水孔は、前記複数の植栽ブロックの設置位置に対応させて複数設けられることを特徴とする請求項５に記載の壁面緑化設備の植栽ブロック受け皿。
【請求項７】
前記植栽ブロックは、毛管作用を有する導水布で緑化基材を被覆した基材部と、上記導水布に設けられた植設孔を通じて上記基材部に植設された緑化植物とからなることを特徴とする請求項１〜６いずれかの項に記載の壁面緑化設備の植栽ブロック受け皿。
【発明の詳細な説明】
【技術分野】
【０００１】
本発明は、全ての緑化植物に確実に灌水することが可能な、壁面緑化設備の植栽ブロック受け皿に関する。
に関する。
【背景技術】
【０００２】
景観の向上や空気の浄化、および建物の外断熱を目的として、家屋やビルの壁面を緑化することが行われつつある。ツタなどある種の蔓性植物を地面に植え、直接、壁面に這い登らせて覆う方法もあるが、壁全体を覆うまでに非常に時間がかかり、迅速に緑化することができない。また、根が直接壁面に付着するため、壁面を劣化させたり、汚損して美観を損なってしまったりする問題がある。
【０００３】
そこで、培養土などを含む緑化基盤に、あらかじめ工場などで緑化植物を植設し、この緑化基盤と緑化植物とからなる植栽ブロックを複数、壁面に取り付ける技術が開発されている。そのような技術として例えば、特許文献１、特許文献２などが知られている。
【０００４】
特許文献１には、保水マットと、この保水マットの表面に重ね合わされる緑化基盤と、保水マットの上縁に給水する潅水管とを備えて、この潅水管から保水マットを介して緑化基盤に給水するようにした壁面緑化パネルが開示されている。緑化植物は、ポーラスコンクリートなどからなる前記緑化基盤に植え付けられる。前記潅水管は、多数の点滴孔が設けられており、この点滴孔から潅水が保水マットに滴り落ちる。
【０００５】
特許文献２には、建造物の壁面に取付可能で上面に開口する入水口および下面に開口する排水口を有するケースと、このケース内に収容した培養土を含む植栽材と、この植栽材に植栽されケースの外側面に露出する緑化植物とからなる壁面緑化ユニットが開示されている。特に前記植栽材は、ケース内で壁面側に位置する通水層と、この通水層の表側に重ねられ前記培養土を含む板状の培土層と、この培土層の表側に重ねられ、前記緑化植物が植栽されたマット状またはシート状の植栽層とからなる。
【特許文献１】特開２００２−７７号公報
【特許文献２】特開２００２−３３５７６５号公報
【発明の開示】
【発明が解決しようとする課題】
【０００６】
ところが、上記特許文献１、２のいずれにあっても、奥行き方向に複数の層を設け、各層を通じ、緑化植物が植栽された層に間接的に、かつ重力方向と異なる水平方向となる奥側から手前側へと水を移動させる構造なので、全緑化植物に対し、水が確実に供給されないおそれがあった。具体的には、特許文献１にあっては、保水マットを介して緑化基盤に給水されるが、両層が密着しているとはいえ、保水マットから緑化基盤へは水が十分に移動しないと考えられる。特許文献２にあっても同様に、通水層から培土層、さらに植栽層へは水が十分に移動しないと考えられる。
【０００７】
本発明は上記従来の課題に鑑みて創案されたものであって、全ての緑化植物に確実に灌水することが可能な、壁面緑化設備の植栽ブロック受け皿を提供することを目的とする。
【課題を解決するための手段】
【０００８】
本発明にかかる壁面緑化設備の植栽ブロック受け皿は、建物の外壁面に支持させて設けられ、植栽ブロックがその上に配置される、壁面緑化設備に使用される植栽ブロック受け皿であって、灌水を貯留する貯留部と、上記植栽ブロックが配置される皿底部と、該皿底部の上記建物外壁面側縁辺から立設された背板とを備え、該背板には、下半部に堰部が、上半部に上記外壁面側に向かって傾斜させて受水部が形成されていることを特徴とする。
【０００９】
前記堰部には、前記貯留部に余剰に貯留された灌水を溢水する溢水孔が設けられ、前記受水部は、直上の堰部の溢水孔からの溢水を受水すべく溢水孔に臨ませて配置されることを特徴とする。
【００１０】
前記皿底部は、前記建物の外壁面側縁辺から、反対側の前面側縁辺にかけて上昇するように傾斜されていることを特徴とする。
【００１１】
前記皿底部の前面側縁辺には、植栽ブロック脱落防止部が立設されることを特徴とする。
【００１２】
前記植栽ブロック受け皿は横長形状に形成されるとともに、該植栽ブロック受け皿の長手方向には前記植栽ブロックが複数配列されることを特徴とする。
【００１３】
前記堰部に設けられた溢水孔は、前記複数の植栽ブロックの設置位置に対応させて複数設けられることを特徴とする。
【００１４】
前記植栽ブロックは、毛管作用を有する導水布で緑化基材を被覆した基材部と、上記導水布に設けられた植設孔を通じて上記基材部に植設された緑化植物とからなることを特徴とする。
【発明の効果】
【００１５】
本発明にかかる壁面緑化設備の植栽ブロック受け皿にあっては、全ての緑化植物に確実に灌水することが可能となる。
【発明を実施するための最良の形態】
【００１６】
以下に、本発明にかかる壁面緑化設備の植栽ブロック受け皿の好適な第一の実施形態を、添付図面を参照して詳細に説明する。本実施形態では、壁面緑化設備１は基本的には、図１〜図６に示すように、建物の外壁面Ｗに設けられた支持材２を介して支持させて上下方向に５段設けられた横長形状の植栽ブロック受け皿３と、これら植栽ブロック受け皿３の上に挿抜自在に配列される複数の植栽ブロック４あるいは断熱ブロック５と、各植栽ブロック４に灌水する灌水装置６とを備えて構成される。説明の便宜上、各植栽ブロック受け皿３を３列（ａ列、ｂ列、ｃ列）に分けて説明する（図１参照）。また、以下の説明において、壁面緑化設備１およびその各部の「外側」および「前面側」とは、建物の外壁面Ｗから遠い側を指す。反対に壁面緑化設備１およびその各部の「奥側」とは、建物の外壁面Ｗに近い側を指す。
【００１７】
各植栽ブロック受け皿３の平面形状は、横長な矩形状である。灌水装置６は、基本的には、最上段の植栽ブロック受け皿３よりも上方に設けられる灌水貯留槽７と、灌水貯留槽７と各段の植栽ブロック受け皿３の各植栽ブロック４との間に個別に設けられて、灌水貯留槽７から各植栽ブロック４に給水する給水材としての複数の給水管８とを備えている。耐蝕性を有する金属製の中空角形パイプなどで構成される各給水管８は、各植栽ブロック４の奥側、すなわち各植栽ブロック４と建物外壁面Ｗとの間に配置される。各給水管８の一部は、その上端が灌水貯留槽７の上方に突出しておりその突出部分が外壁面にボルト止めなどの手段で固定され、またその下端部がブラケットなどの固定手段（図示省略）を用いて外壁面Ｗに固定されて、上述の支持材２としても機能する。また、全給水管８は、灌水貯留槽７の奥側側面７ａおよび各植栽ブロック受け皿３の背板３ａに設けられた係止部３ｂと、ねじ止めなどの手段を用いて互いに係止される。
【００１８】
また、本実施形態にあっては、壁面緑化設備１全体の寸法は、縦が１００ｃｍ程度、横が１２０ｃｍ程度（各植栽ブロック受け皿３の幅寸法に相当）、奥行きが２０ｃｍ強程度（ほぼ、各植栽ブロック受け皿３の奥行き寸法に各給水管８や支持材２の奥行き寸法を加えたものに相当）である。本実施形態にかかる壁面緑化設備１は、建物が既設であるか、新設であるかを問わず適用することができる。
【００１９】
各植栽ブロック４は、毛管作用を有する導水布としての不織布４ａで緑化基材４ｂを被覆した袋様の基材部４ｃと、基材部４ｃの前面の２カ所に穿設された植設孔４ｄを通じて緑化基材４ｂに植設された２つの緑化植物４ｅとからなる（図１および図６参照）。緑化植物４ｅは、あらかじめ植栽ブロック４（の基材部４ｃ）を植栽ブロック受け皿３上に配置する前に植設しておいてもよいし、あるいは緑化植物４ｅを除く植栽ブロック４を、植栽ブロック受け皿３上に配置した後に、植設してもよい。緑化植物４ｅを植設する前の、基材部４ｃのみの状態をも、後に緑化植物４ｅが植設されることを想定して便宜的に「植栽ブロック」と呼ぶこともある。各植栽ブロック４は、この２つの緑化植物４ｅが外側を向くように、植栽ブロック受け皿３の上に配置される。緑化基材４ｂは具体的には、緑化植物４ｅの生育に必要な適度の保水性と、根腐れを生じないための適度の排水性、加えて適度の保肥性などを有する材料で形成すればよく、一般の土壌の他に、ピートモスなどコケ類の堆積物や間伐材のチップを固めた人工材料などが使用可能である。
【００２０】
各植栽ブロック４の上下方向寸法は２０ｃｍ弱程度、横方向の寸法は４０ｃｍ程度、奥行き方向の寸法は２０ｃｍ弱程度である。すなわち各植栽ブロック４は、各植栽ブロック受け皿３上に、上下・左右および奥行き方向にほぼ密な状態で収納されている。特に、左右方向には各植栽ブロック４同士の間に空隙がほとんどない様に配置されるため、建物に対する外断熱効果が適切に維持される。ただし、各植栽ブロック４の上方には、給水管８の下端開口部８ａから各植栽ブロック４の上面に灌水するためのスペースが若干設けられている。
【００２１】
このような植栽ブロック４が、上から１段目、３段目、５段目の植栽ブロック受け皿３には３個ずつ配列され、２段目と４段目の植栽ブロック受け皿３には２個ずつ配列されている。植栽ブロック４が配置されていない箇所には、植栽ブロック４に代えて、断熱ブロック５が配置されている。すなわち、ａ列の全段、ｂ列の１段目と３段目と５段目、およびｃ列の全段には、植栽ブロック４が配置され、ｂ列の２段目と４段目には断熱ブロック５が配置されている。各断熱ブロック５は、断熱層としての、さらに本実施形態にあっては、透水性を有する断熱層としての断熱性透水層５ａと、化粧層としての化粧板５ｂとから形成されている。断熱性透水層５ａの各方向寸法はほぼ各植栽ブロック４と同じであり、各断熱性透水層５ａと、上下左右に隣接する植栽ブロック４との間には空隙がほとんどないため、建物の外断熱効果が適切に維持される。
【００２２】
各化粧板５ｂは、断熱性透水層５ａが配置された植栽ブロック受け皿３の前面に立設された植栽ブロック脱落防止部３ｃと、その直上の植栽ブロック受け皿３の植栽ブロック脱落防止部３ｃとの間に、ねじ止めなどの手段により架設されている。これら化粧板５ｂは、断熱性透水層５ａを外側から覆い隠すとともに、断熱性透水層５ａが壁面緑化設備１の外側へと脱落することを防止するストッパとしても機能している。本実施形態にあっては、各断熱ブロック５は、１つの断熱性透水層５ａと、２枚の化粧板５ｂとから構成される。２枚の化粧板５ｂの中間部には、もう一種のストッパとしての縦長矩形板状のストッパ部材９が、灌水貯留槽７から最下段の植栽ブロック受け皿３にわたって架設されている。このストッパ部材９の表面には化粧層９ａが設けられている。なお、断熱ブロック５の構成は本実施形態のものに限定されるわけではなく、例えば化粧板５ｂは、植栽ブロック脱落防止部３ｃ間に架設されるのではなく、直接、断熱性透水層５ａの外側表面に貼設されてもよい。
【００２３】
断熱性透水層５ａは、壁面緑化設備１の断熱効果を発揮するとともに、その上面に降り注いだ雨水などにより水たまりが形成されてさらに跳ね返った水が壁面緑化設備１の外側あるいは外壁面Ｗに飛散することを防ぐ透水性を有する材質で形成される。また、断熱性透水層５ａは、その上面から下面にかけて雨水や給水管８からの灌水を通過させる多数の排水経路を有するものであればよく、例えば、多孔質の材料や海綿状の材料で形成してもよい。さらに、軽量で、かつ断熱性能を有することが望ましいことから、例えば発泡スチロールなどの発泡性樹脂材などで形成されることが好ましい。
【００２４】
化粧板５ｂには、壁面緑化設備１外側の他の部分、すなわち後述する灌水貯留槽７の外側側面７ｈや、ストッパ部材９の表面に設けられる化粧層９ａなどと同様な色の塗装を施して美観上の統一感が図られている。あるいは化粧板５ｂには、他の部分との統一感を図りつつ、デザイン性のある模様などを描いてもよい。
【００２５】
灌水装置６は、基本的には、最上段の植栽ブロック受け皿３よりも上方に設けられた横長形状の灌水貯留槽７と、この灌水貯留槽７と各段の植栽ブロック４との間に設けられ、灌水貯留槽７に貯留される灌水を各植栽ブロック４に給水する複数の給水管８とを備えて構成される。灌水貯留槽７は、前述の支持材２を介して、奥側側面７ａを外壁面Ｗに支持させて設けられ、雨水などをここに貯留し、灌水として利用する。灌水貯留槽７の平面形状は、各植栽ブロック受け皿３とほぼ同一の横長な矩形状であり、その各縁辺は、長手方向（幅方向）、奥行き方向ともに、各植栽ブロック受け皿３と上下に互いに重なり合うように配置されている。灌水貯留槽７の材質としては、耐蝕性を有する金属製あるいは合成樹脂製などが採用される。
【００２６】
各給水管８は、その上端付近に開口部８ｂを有し、各植栽ブロック受け皿３と建物外壁との間に位置させて設けられている。また、灌水貯留槽７の奥側側面７ａの下端縁に接して複数の開口７ｂが形成されており、これら複数の開口７ｂは、上記各給水管８上端付近の開口部８ｂとそれぞれ連通するように一致され、各給水管８と、灌水貯留槽７の奥側側面７ａや各植栽ブロック受け皿３の係止部３ｂ（図２参照）とが互いに係止される（図示省略）。
【００２７】
本実施形態にあっては、給水管８は、各植栽ブロック４に対し個別に設けられており、ａ列に５本、ｂ列に３本、ｃ列に５本の合計１３本である（図１および図４参照）。各給水管８の下端部は前面側に曲折しており、その下端開口部８ａは、それぞれ対応する植栽ブロック４の上面に臨んでいる。なお本実施形態においては、各給水管８と灌水貯留槽７は別々に構成されて、設置時に連結されることとしているが、このような構成に限定されるものではなく、あらかじめ灌水貯留槽７と各給水管８とが一体に形成される構造であってもよい。また、本実施形態では断熱ブロック５が配置された箇所（ｂ列の上から２段目と４段目）には給水管を取り付けない構成としたが、各列・各段全ての箇所への給水管を設ける構成としてもよい。そのような場合、断熱ブロック５の断熱性透水層５ａ上面にも灌水されることとなるが、断熱性透水層５ａは前述のように、透水性を有する材質で形成されているので何ら問題はない。また、ａ、ｂ、ｃ各列の中央の給水管８は、前述のように、支持材２としても機能する。
【００２８】
灌水貯留槽７の下面には、前面側に位置させて、長手方向に一様な凹状で、灌水を貯留する貯水部７ｃが形成されている。この貯水部７ｃには、その奥側に隣接させて、長手方向に一様に平坦で、かつその前面側縁辺から奥側縁辺にかけて下降するように傾斜されて、貯水部７ｃに貯留された灌水を上記各開口７ｂに向かって流下させる傾斜配水面７ｄが形成されている。貯水部７ｃには、灌水として利用するための雨水などが一旦貯留され、その貯留量が一定以上となると貯水部７ｃから傾斜配水面７ｄへと溢れ出して、傾斜配水面７ｄ上を流下し、各開口７ｂを通過して各給水管８内へと給水されてゆく。
【００２９】
また、本実施形態にあっては、灌水貯留槽７の左右の側面上縁にそれぞれ切り欠き部７ｅが形成されており、この両切り欠き部７ｅ間に架設されて、灌水チューブ１０が設けられている（図３では図示省略）。灌水チューブ１０は、耐蝕性を有する合成樹脂や金属などの素材で形成され、灌水貯留槽７に架設された部分には全体的に通孔が穿設されている。灌水チューブ１０には、タイマーおよびポンプ部１０ａを介して、毎日１回あるいは複数回、所定の適宜な時間に、水道水や建物の雨水などを貯めておく貯水タンクの水などが給水されて、上記複数の通孔から灌水貯留槽７の貯水部７ｃに供給される。貯水タンクなどの水を利用する場合は、タイマーおよびポンプ部１０ａのポンプを使用すればよいが、本実施形態では、灌水チューブ１０には水道水が供給されることとしているので、ポンプを使用する必要はない。また変形例として、図２に二点鎖線で示すように、灌水チューブ１０から分岐させて複数の導水パイプ１０ａを延設し、灌水チューブ１０から、貯水部７ｃなどを介さず直接的に、各開口７ｂを介して各給水管８内へと供給する構成としてもよい。
【００３０】
図４に模式的に示すように、灌水貯留槽７の各開口７ｂは、灌水貯留槽７の奥側側面７ａの長手方向ほぼ全域にわたって合計１３箇所に設けられている（図３においては簡単のため、開口７ｂの数を省略して図示している）。そして、これら各開口７ｂに対して均一に配水するために、傾斜配水面７ｄの全面にわたって、配水部材としての不織布７ｆが敷き詰められている。不織布７ｆの前面側縁辺は、貯水部７ｃ内にまで若干突出しており（図４においては簡単のためこの突出部分は省略）、この不織布７ｆの毛管作用により貯水部７ｃから傾斜配水面７ｄへと灌水を吸い上げるとともに、傾斜配水面７ｄの長手方向に均一に灌水を行き渡らせ、各開口７ｂに灌水が均一に供給される。
【００３１】
また、各開口７ｂの寸法が比較的小さい場合などは、表面張力により、各開口７ｂのところで水が止まってしまい、各給水管８内部へと供給されない。そこで本実施形態にあっては、図５などに示すように、各開口７ｂの形状は、水の表面張力の影響を低減させる長孔形状に形成されている。具体的には、縦長矩形の下半部と略半円形の上半部を組み合わせた縦長のかまぼこ型に形成されている。各開口７ｂの下辺は、灌水貯留槽７の奥側側面７ａの下面、すなわち傾斜配水面７ｄの奥側縁辺と一致している。
【００３２】
また、同様に水の表面張力対策として、各開口７ｂの下辺以外の周方向に沿う部分には、灌水貯留槽７の内部に向けて突出した鍔部７ｇが設けられている。さらに、傾斜配水面７ｄに敷き詰められた前述の不織布７ｆは、その各開口７ｂに接する部分が若干長く突出し、各給水管８内部に垂下されて、導水部材７ｉとして形成されており、この導水部材７ｉの毛管作用により傾斜配水面７ｄの水を給水管８内へと導くことによっても、表面張力の影響を低減させる。
【００３３】
また、灌水貯留槽７の外側側面７ｈの外側表面には、壁面緑化設備１外側の他の部分、すなわち断熱ブロック５の化粧板５ｂやストッパ部材９の化粧層などと同様な色の塗装を施して美観上の統一感が図られている。あるいは、他の部分との統一感を図りつつ、デザイン性のある模様などを描いてもよい。
【００３４】
耐蝕性を有する金属製あるいは合成樹脂製などからなる各植栽ブロック受け皿３は、基本的には、植栽ブロック４や断熱性透水層５ａがその上に配置される皿底部３ｄと、皿底部３ｄの奥側縁辺から立設された背板３ａと、皿底部３ｄの両横側縁辺から立設された横板３ｅとを備えて構成される。皿底部３ｄの平面形状は、灌水貯留槽７の平面形状とほぼ同型の横長な矩形状である。さらに、背板３ａの下半部には、皿底部３ｄの奥側縁辺から略鉛直に立設させて、横長矩形状の堰部３ｆが形成されている。背板３ａの高さ方向中間部には、長手方向に一様に建物外壁Ｗに向かって箱状に突出させて、係止部３ｂが形成されている。背板３ａの上半部には、長手方向に一様に建物外壁Ｗ側に向かって傾斜した横長矩形状の受水部３ｇが形成されている。受水部３ｇは、上方からの雨水などを受け止める。また、皿底部３ｄと両横板３ｅ、および堰部３ｆにより、雨水や給水管８からの灌水など、植栽ブロック４に対する全灌水を貯留する貯留部３ｈが形成されている。各段の受水部３ｇで受け止められた水は、受水部３ｇから係止部３ｂ、そして堰部３ｆを伝って流下し、貯留部３ｈに貯留される。
【００３５】
本実施形態にあっては、各段の植栽ブロック受け皿３に配置された植栽ブロック４に対する灌水として、受水部３ｇで受け止められる雨水、灌水装置６の給水管８から供給される給水、および直上の植栽ブロック受け皿３からの溢水（詳しくは後述）の３種類がある。さらに、灌水装置６から供給される灌水には、灌水貯留槽７に降り注いだ雨水と、灌水チューブ１０から灌水貯留槽７の貯水部７ｃに供給された水道水の２種類が含まれている。
【００３６】
各段の植栽ブロック受け皿３の皿底部３ｄは、その奥側縁辺から前面側縁辺にかけて上昇するように傾斜されており、その結果、貯留部３ｈに貯留される灌水は、皿底部３ｄの外側よりも奥側、すなわち堰部３ｆに近い側により多く集められる。また、各段の皿底部３ｄの前面側縁辺には、横方向に一様に細長な矩形状の植栽ブロック脱落防止部３ｃが立設されており、植栽ブロック受け皿３の上に配置される植栽ブロック４や、断熱ブロック５の断熱性透水層５ａを係止する。植栽ブロック脱落防止部３ｃの外側表面には、壁面緑化設備１外側の他の部分、すなわち断熱ブロック５の化粧板５ｂやストッパ部材９の化粧層などと同様な色の塗装を施して美観上の統一感が図られている。あるいは、他の部分との統一感を図りつつ、デザイン性のある模様などを描いてもよい。
【００３７】
また、各植栽ブロック受け皿３の堰部３ｆには、植栽ブロック受け皿３上に配置された各植栽ブロック４および断熱ブロック５の横方向中央付近に対応する位置で、かつ堰部３ｆの高さ方向中程の位置に、小径な円形状の溢水孔３ｉが穿設されている。すなわち、各段の堰部３ｆには溢水孔３ｉが３箇所ずつ設けられている。この溢水孔３ｉは、貯留部３ｈに余剰に貯留された灌水を溢水するためのものであって、各段の植栽ブロック受け皿３の溢水孔３ｉは、互いに上下に重なり合う位置に設けられている。従って背板３ａの上半部に設けられた受水部３ｇは、直上の溢水孔３ｉに臨みつつ配置されており、直上の溢水孔３ｉからの溢水を受け止める。受水部３ｇは上述の様に堰部３ｆの位置から外壁面Ｗ側へと傾斜しているので、溢水孔３ｉの設けられる堰部３ｆは、建物外壁面Ｗから一定の距離を隔てて位置していることになる。
【００３８】
なお、最下段の植栽ブロック受け皿３の堰部３ｆには溢水孔３ｉを設けなくともよいが、本実施形態では最下段にも他の段と同様に溢水孔３ｉを設けた上で、最下段の堰部３ｆの外壁面Ｗ側に係止させて排水溝（図示省略）を設けている。溢水孔３ｉ直下に設けられたこの排水溝は、溢水を受け止め、雨どいなどの排水設備に導く。これにより、最下段の植栽ブロック受け皿３から溢れる水が適切に排水され、壁面緑化設備１の周囲に飛散したり、外壁面Ｗを汚損したりすることを防止する。
【００３９】
本実施形態の植栽ブロック受け皿３は、その横板３ｅをのぞく部分、すなわち植栽ブロック脱落防止部３ｃ、皿底部３ｄ、背板３ａ（堰部３ｆ、係止部３ｂ、受水部３ｇ）が、一体的に形成されているため、製造工程が簡単に済むとともに、製造コストの面でも安価である。なお、このような一体的な構造に限定されるものではなく、適宜変更が可能であることは言うまでもない。
【００４０】
さらに、壁面緑化設備１の前面には、植栽ブロック４や断熱ブロック５の断熱性透水層５ａを係止して各段の植栽ブロック受け皿３上に固定するための、縦長矩形状のストッパ部材９が複数設けられている。ストッパ部材９が設けられている位置は、植栽ブロック４や断熱性透水層５ａが隣接し合う部分、すなわちａ列とｂ列との境界部分、およびｂ列とｃ列との境界部分にそれぞれ一枚ずつ、さらに植栽ブロック４の他と隣接しない端部、すなわちａ列の外側縁辺と、ｃ列の外側縁辺にそれぞれ一枚ずつ、さらに各植栽ブロック４および断熱性透水層５ａの中央部分、すなわちａ、ｂ、ｃ各列の中央部分であり、合計７枚のストッパ部材９が設けられている。各ストッパ部材９は、各植栽ブロック受け皿３の植栽ブロック脱落防止部３ｃ、および灌水貯留槽７の手前側側面に、ねじ止めなどの手段で取り付けられる。
【００４１】
なお、前述した断熱ブロック５の化粧板５ｂも、断熱性透水層５ａを植栽ブロック受け皿３上に固定するためのストッパである。要するに本実施形態にあっては、植栽ブロック４や断熱性透水層５ａを植栽ブロック受け皿３上に固定するためのストッパとして、化粧板５ｂとストッパ部材９の２種が設けられている。
【００４２】
各ストッパ部材９の表面には、化粧層９ａが設けられており、壁面緑化設備１外側の他の部分、すなわち灌水貯留槽７の外側側面７ｈや断熱ブロック５の化粧板５ｂなどと同様な色の塗装を施して美観上の統一感が図られている。あるいはこの化粧層９ａには、他の部分との統一感を図りつつ、デザイン性のある模様などを描いてもよい。また、各ストッパ部材９には複数のパンチング孔９ｂが穿設されており、各植栽ブロック４に植設された緑化植物４ｅに対する通気性や日照量が良好に保たれるとともに、緑化植物４ｅの茎や葉は、このパンチング孔９ｂを通過して伸長することが可能であるので、ストッパ部材９の存在が緑化植物４ｅの生育を妨げる可能性は少ない。
【００４３】
なお、ストッパ部材９の枚数は、本実施形態のように７枚に限定されるものではなく、例えば各列の境界部分に２枚のみ設ける構成としてもよい。また、ストッパ部材９の形状も、上記実施形態の様な縦長矩形板状のものに限定されるものではなく、適宜変更が可能である。
【００４４】
以上の構成を備える本実施形態にかかる壁面緑化設備１の植栽ブロック受け皿３の作用について説明する。まず、既設もしくは新設を問わず、建物の壁面Ｗの外側に本実施形態の壁面緑化設備１を設置するに際しては、最初に支持材２を壁面Ｗに取り付け、次いで、灌水装置６の灌水貯留槽７と、それぞれの係止部３ｂを介して各段の植栽ブロック受け皿３を、支持材２に対して取り付ける。次いで、各給水管８を、各給水管８の上部に設けられた開口部８ｂと灌水貯留槽７に形成された各開口７ｂとが一致するように位置させて、灌水貯留槽７の奥側側面７ａと各植栽ブロック受け皿３の係止部３ｂに係止して取り付ける。次いで、各植栽ブロック４と断熱ブロック５の断熱性透水層５ａを、植栽ブロック受け皿３上の決められた位置に載置する。その際、各植栽ブロック４および断熱性透水層５ａを若干上方に持ち上げる、あるいは傾けつつ、各植栽ブロック受け皿３の植栽ブロック脱落防止部３ｃをかわすようにして奥まで送り込む。次いで、各ストッパ部材９と断熱ブロック５の化粧板５ｂを、所定の位置に取り付け、各植栽ブロック４および断熱性透水層５ａを植栽ブロック受け皿３上に係止する。断熱ブロック５の化粧板５ｂとストッパ部材９表面の化粧層への塗装、あるいはデザイン描画は、設置後に行ってもよいし、あらかじめ工場などで行っておいてもよい。
【００４５】
このような本実施形態では、壁面緑化設備１は、上下左右に複数の植栽ブロック４あるいは断熱ブロック５がそれぞれ挿抜自在に配列され、しかも各植栽ブロック４および断熱ブロック５の配列は、何ら固定的なものではなく自在に変更することができる。また、各植栽ブロック４には多様な緑化植物４ｅを植栽することが可能であり、断熱ブロック５表面には各種の塗装やデザイン描画が可能な化粧板５ｂが設けられるので、壁面緑化設備１全体としてのデザインは実に豊かなバリエーションを実現することが可能であるとともに、非常に美観に優れる。また、上記の例においては、断熱ブロック５は２箇所に設けられたが、より多数の断熱ブロック５を植栽ブロック４に代えて設けてもよい。そのようにすれば、建物に対する外断熱効果を適切に維持しつつ、植栽ブロック４よりも軽量な断熱ブロック５の数が増えるため、壁面緑化設備１の全体をより軽量なものとすることが可能である。しかも各断熱ブロック５には化粧板５ｂが設けられているので、美観が損なわれることもない。
【００４６】
また、本実施形態では、植栽ブロック４は、棚状に複数段設けられた植栽ブロック受け皿３の各段上に配置されるものであり、従来の壁面緑化設備１に見られるような薄いパネル状の植栽ブロックと異なり、例えば本実施形態のように２０ｃｍ弱程度の十分な奥行き寸法を有する。従って、植栽可能な緑化植物４ｅの種類は、根張りの浅いシダ類などに限定されず、例えばブルーパシフィックやドラゴングラスなど、常緑性および半常緑性の主として葉を鑑賞する種類のものから、アイビーゼラニウムなど花を鑑賞する種類まで、多様な植栽が可能である。また、従来のような縦長の薄いパネル状の植栽ブロックの場合は、重力の作用による撓みを防止するため、その表面全体に金網などを設ける必要があったが、本実施形態の植栽ブロック４にはそのような必要がなく、その結果、通気性や日照が悪化することもなく、茎や枝の伸長が阻害されることもないため、緑化植物４ｅの生育が良好となる。
【００４７】
また、植設した緑化植物４ｅが枯れてしまった場合や、季節感を出すために植栽デザインを変更したい場合などは、各ストッパ部材９と断熱ブロック５の化粧板５ｂを外し、植栽ブロック脱落防止部３ｃをかわしつつ各植栽ブロック４および断熱性透水層５ａを取り外し、緑化植物４ｅを植え替えた上で、あるいは別の植栽ブロック４に交換した上で、再び逆の手順で取り付ければよい。このように本実施形態では、壁面緑化設備１は、植栽の交換や、植栽デザインの変更作業を非常に容易に行うことができる。
【００４８】
また、各植栽ブロック４は、毛管作用を有する不織布４ａで緑化基材４ｂを被覆した基材部４ｃと、不織布４ａに設けられた植設孔４ｄを通じて基材部４ｃに植設された緑化植物４ｅとから構成されているので、灌水が直接、土壌などを含む緑化基材４ｂに注がれることがないため、土はねや泥はねが発生するおそれがなく、美観を損なうことがない。特に本実施形態の植栽ブロック４は、奥行き方向（根の伸長方向）に約２０ｃｍの寸法を有する、比較的厚みのある枕状の形状としたので、緑化植物４ｅの種類が根の浅いシダなどに限定されず、花の鑑賞できるものなどを含め、多種多様の植物を選択することができ、より一層、壁面緑化設備１全体の美観とデザイン性を向上できる。
【００４９】
また、植栽ブロック受け皿３の前面側には、隣接する植栽ブロック４や断熱ブロック５間をはじめとする各所に、各植栽ブロック４や断熱ブロック５を係止して植栽ブロック受け皿３上に固定するストッパとして、複数のストッパ部材９と断熱ブロック５の化粧板５ｂが設けられている。これらのストッパはいずれも、その表面に化粧層を有するので、植栽ブロック４や断熱ブロック５の落下防止を図るとともに、壁面緑化設備１全体としての美観向上に寄与している。
【００５０】
また、断熱ブロック５の断熱性透水層５ａは、透水性を有するものであるので、その上面に水たまりが形成され、その水たまりで跳ね返った水が、壁面緑化設備１の周囲に飛散するようなことがない。
【００５１】
また、本実施形態では、壁面緑化設備１の灌水装置６は、各給水管８が、各段の植栽ブロック受け皿３と建物の外壁面Ｗとの間に位置させて設けられている。その結果、壁面緑化設備１の外側からは、各段の植栽ブロック４や断熱ブロック５の化粧板５ｂなどに遮られて、各給水管８は見えない。外側から見えるのは、緑化植物４ｅや、塗装あるいはデザイン描画を施した化粧部分（灌水貯留槽７の外側側面７ｈ、断熱ブロック５の化粧板５ｂ、ストッパ部材９の化粧層、および各植栽ブロック受け皿３の植栽ブロック脱落防止部３ｃなど）のみであるので、美観の点で非常に優れている。
【００５２】
また、灌水貯留槽７に貯留された雨水や水道水などの灌水は、灌水貯留槽７の奥側側面７ａに複数設けられた開口７ｂを通過して各給水管８に供給され、各給水管８の下端開口部８ａから各段の植栽ブロック受け皿３上に配置された植栽ブロック４の上面に灌水される。その際、灌水貯留槽７の下面には、貯水部７ｃと貯水部７ｃの奥側に隣接させた傾斜配水面７ｄとを設けたので、灌水貯留槽７が長手方向に若干傾斜して設置されてしまった場合や、貯水部７ｃ内に落ち葉などが堆積し、貯水部７ｃ内長手方向の水の流動性が低下した場合に、貯水部７ｃから溢れ出す時点で灌水が長手方向に一様でなくとも、平坦な傾斜配水面７ｄを流下する間に十分に長手方向に均一化されて、各開口７ｂに均一に供給されてゆく。その結果、各植栽ブロック受け皿３における各植栽ブロック４に対し確実に、かつむらなく均一に灌水することが可能となる。
【００５３】
また、傾斜配水面７ｄの全面、さらにその一部を貯水部７ｃ内へと突出させて、配水部材としての不織布７ｆを敷き詰めたので、この不織布７ｆの毛管作用により貯水部７ｃから傾斜配水面７ｄへと灌水を吸い上げることができるとともに、傾斜配水面７ｄの長手方向に均一に灌水を行き渡らせ、各開口７ｂに灌水が均一に供給される。
【００５４】
また、各開口７ｂの形状を、灌水貯留槽７の水の表面張力を低減させる長孔形状に形成したために、灌水貯留槽７内に貯留される灌水の表面張力により、各開口７ｂのところで水が止まってしまい、各給水管８内部へと流下しないことを防止できる。
【００５５】
また、各開口７ｂの下辺以外の周方向に沿う部分には、灌水貯留槽７の内部に向けて突出した鍔部７ｇが設けられており、水の表面張力の影響を低減できるため、これによっても各開口７ｂのところで水が止まってしまい、各給水管８内部へと流下しないことを防止できる。
【００５６】
さらに、傾斜配水面７ｄに敷き詰められた不織布７ｆの各開口７ｂに接する部分が若干長く突出し、各給水管８内部に垂下して、導水部材７ｉとして形成されているため、その毛管作用により傾斜配水面７ｄの水を給水管８内へと導くことができ、これによっても各開口７ｂのところで水が止まってしまい、各給水管８内部へと流下しないことを防止できる。
【００５７】
また、従来のような上下に長大なパネル状の植栽ブロックの上端にのみ灌水し、重力の作用で自然に下方向へと水を流す構成と異なり、灌水装置６の給水管８が、全植栽ブロック受け皿３上の全植栽ブロック４に対し個別に設けられているので、全植栽ブロック４に対してむらなく、かつ確実に灌水が供給される。
【００５８】
また、各給水管８は、各段の植栽ブロック受け皿３と建物の外壁面Ｗとの間に位置させて設けられているので、各植栽ブロック４に対し壁面緑化設備１の奥側からの給水となることにより、灌水や、植栽ブロック４の緑化基材４ｂに含まれる土が、壁面緑化設備１の前面側に飛散したり、垂れ落ちて壁面緑化設備１の前面を汚損したりすることが防止される。
【００５９】
また、各植栽ブロック４は、その基材部４ｃが毛管作用を有する不織布４ａで緑化基材４ｂを被覆して構成されているので、灌水が直接、土壌などを含む緑化基材４ｂに注がれることがない。その結果、緑化基材４ｂが崩れてしまったり、水やりにより過剰に肥料分が流出し劣化してしまったりすることが防止される。
【００６０】
また、本実施形態では、壁面緑化設備１の植栽ブロック受け皿３は、受水部３ｇで受け止めた雨水と、灌水装置６の給水管８からの給水という２種類の灌水を貯留部３ｈに貯留することができる。その結果、植栽ブロック受け皿３の上に配置される各植栽ブロック４は、その上面に給水管８の下端開口部８ａから直接供給される灌水のみならず、貯留部３ｈに貯留された水を、下面や側面から吸い上げて灌水として利用することができ、よりまんべんなく緑化植物４ｅの根に灌水が供給される。
【００６１】
また、各植栽ブロック受け皿３の堰部３ｆには溢水孔３ｉが設けられ、各段の植栽ブロック受け皿３に余剰に貯留された灌水を、順次その下段に流下させる。その結果、各段には必要以上に多量の水が植栽ブロック４に供給されることがなく、緑化植物４ｅの根腐れなどを防止することが可能となる。さらに各段の植栽ブロック受け皿３では、直上の植栽ブロック受け皿３の溢水孔３ｉから溢れ出た溢水が受水部３ｇで受け止められ、貯留部３ｈに貯留されるので、例えば降雨がなく、かつある給水管８に目詰まりが生じ、ある植栽ブロック４にこれら２種類の灌水が供給されないような状況における、バックアップ的な灌水を行うことができる。その結果、植栽ブロック基材部４ｃの乾きすぎによる緑化植物４ｅの生育不良や枯死を適切に防止することが可能となる。さらに、溢水孔３ｉの設けられる堰部３ｆは、建物外壁面Ｗから一定の間隔を隔てた位置に設けられているため、各段の植栽ブロック受け皿３からの溢水が飛散するなどして外壁面Ｗを汚損するおそれがない。
【００６２】
また、皿底部３ｄは、建物の外壁面Ｗ側縁辺から反対側の前面側縁辺にかけて上昇するように傾斜されているので、植栽ブロック受け皿３上に配置される各植栽ブロック４や断熱性透水層５ａが、壁面緑化設備１の前面側へ落下することが防止される。さらに、貯留部３ｈに貯留された灌水が皿底部３ｄの外側よりも日照の到達しにくい奥側、すなわち堰部３ｆに近い側により多く集められるので、壁面緑化設備１の前面側への水の飛散防止が図られるとともに、貯留水が蒸発しにくくなるため、植栽ブロック４へのより適切な灌水が実現される。
【００６３】
また、皿底部３ｄの前面側縁辺には、植栽ブロック脱落防止部３ｃが立設されているため、植栽ブロック受け皿３上に配置される各植栽ブロック４や断熱性透水層５ａが、壁面緑化設備１の前面側へと落下することが防止される。
【００６４】
また、横長形状の植栽ブロック受け皿３には、長手方向に複数の植栽ブロック４が配列されているが、皿底部３ｄには特に仕切りなどを設けていないため、貯留部３ｈに貯留される灌水が全植栽ブロック４に均一に配水され、特定の植栽ブロック４のみが灌水不良となるおそれがない。その結果、各植栽ブロック４の緑化植物４ｅの生育が均一かつ良好となる。
【００６５】
また、溢水孔３ｉは、各植栽ブロック受け皿３上に配置された複数の植栽ブロック４の、それぞれの設置位置に対応させて、複数設けられているので、より一層溢水効率が向上するとともに、不要に多くの灌水が貯留されて根腐れなどを引き起こすおそれがない。さらに、いずれかの溢水孔３ｉに目詰まりなどが生じた場合でも、他の溢水孔３ｉが溢水機能を保持するため、不要な灌水を溢水する機能がより確実に維持される。
【００６６】
また、各植栽ブロック４は、その基材部４ｃが毛管作用を有する不織布４ａで緑化基材４ｂを被覆して構成されているので、給水管８からの植栽ブロック４上面への灌水に加えて、植栽ブロック受け皿３の貯留部３ｈに貯留された灌水が、不織布４ａの毛管作用により図２に示す矢印Ｙのように吸い上げられ、側面からも緑化基材４ｂに供給されるので、よりまんべんなく緑化植物４ｅの根に灌水が行き渡る。
【００６７】
次に、本発明にかかる壁面緑化設備の植栽ブロック受け皿の第二の実施形態を、図７〜図９を参照して詳細に説明する。第一の実施形態と異なる点について説明する。まず、植栽ブロック受け皿３が上下方向に１段少ない４段設けられている。また、植栽ブロック４の形状や材料、および各植栽ブロック受け皿３上に配置する個数などは変わらないが、その横方向の寸法が５０ｃｍ程度とされている。その結果、壁面緑化設備１全体の横寸法（各植栽ブロック受け皿３の幅寸法に相当）は、１６０ｃｍ程度となっている。
【００６８】
各植栽ブロック受け皿３および灌水貯留槽７の壁面に対する取り付けは、第一の実施形態のように給水管８の一部を利用するのではなく、横板面１３ａとアンカー面１３ｂが直角に連結されたＬ字状の金属板などから形成されるサイドプレート兼アンカープレート１３を用いて行われている。本実施形態の植栽ブロック受け皿３および灌水貯留槽７は、それぞれ左右の側面部に、第一の実施形態のような外側側面７ｈおよび横板３ｅを備えていない。その代わりに、各植栽ブロック受け皿３および灌水貯留槽７の左右両側端をサイドプレート兼アンカープレート１３の横板面１３ａに溶接し、植栽ブロック受け皿３および灌水貯留槽７の左右開口部を閉止するとともに、これら各植栽ブロック受け皿３および灌水貯留槽７をサイドプレート兼アンカープレート１３とともに一体化する。そして建物の外壁面Ｗに、壁面緑化設備１の四隅を固定するためのアンカーボルト１１が打ちこまれ、次にサイドプレート兼アンカープレート１３のアンカー面１３ｂに設けられた下方が大径で上方が小径の長孔１３ｃをアンカーボルト１１に落とし込んで、サイドプレート兼アンカープレート１３を外壁面Ｗに取り付ける。このようにして、壁面緑化設備１が外壁面Ｗに取り付けられる。
【００６９】
本実施形態の各植栽ブロック受け皿３は、第一の実施形態における各給水管８に係合される係合部３ｂが省略されており、背板３ａは、その下半部に設けられた堰部３ｆと、堰部３ｆの上端から外壁面Ｗ側に傾斜した受水部３ｇとから構成されている。また、植栽ブロック４に対する全灌水を貯留する貯留部３ｈは、皿底部３ｄ、堰部３ｆ、および上述のサイドプレート兼アンカープレート１３の横板面１３ａとで形成されている。
【００７０】
また、灌水貯留槽７から各植栽ブロック４に給水する給水材として、第一の実施形態における給水管８に代えて、縦長帯状の給水用不織布（以下、給水不織布という）１２を用いている。この給水不織布１２は、灌水貯留槽７の傾斜配水面７ｄに敷き詰められた配水部材としての不織布７ｆと一連につながっており、第一の実施形態において各開口７ｂから突出して導水部材７ｉとして形成されていた部分がそのまま延長されて、各植栽ブロック４へと垂下している。第一の実施形態においては、一部の給水管８（ｂ列２、４段目の植栽ブロックに対する給水管）が省略されていたが、本実施形態においては全ての植栽ブロック４に対し、給水不織布１２が設けられている。給水不織布１２の下端部は、各植栽ブロック受け皿３の受水部３ｇおよび堰部３ｆの内側面に沿って下垂し、植栽ブロック４の背面に接した後、皿底部３ｄの近傍まで達している。灌水貯留槽７から給水される水は、給水不織布１２を伝って下降し、一部は植栽ブロック４の背面から植栽ブロック４を包んでいる不織布４ａを介して緑化基材４ｂへと供給され、残りは植栽ブロック受け皿３の貯留部３ｈにいったん貯留された後、植栽ブロック４の不織布４ａから吸い上げられて緑化基材４ｂへと供給される。
【００７１】
第一の実施形態においては、各植栽ブロック受け皿３の奥側に給水管８を設けるためのスペースが必要であったが、給水不織布１２はその厚さが薄いため、各植栽ブロック受け皿３と外壁面Ｗとの間にはごくわずかなスペースを設ければよい。その結果、各植栽ブロック４は奥行き方向により一層密な状態で収納されることとなり、建物に対する外断熱効果がより一層適切に発揮される。また、本実施形態では、第一の実施形態において設けられていた各植栽ブロック４の上方の、給水管８の下端開口部８ａからの灌水のためのスペースが省略されているため、各植栽ブロック４は上下方向により一層密な状態で収納されることとなり、建物に対する外断熱効果がより一層適切に発揮される。
【００７２】
灌水貯留槽７の奥側側面７ａの下部には、長手方向全域にわたって、植栽ブロック４と同数の１２箇所に開口７ｂが設けられている。本実施形態の開口は、横長のオーバル状である（図９参照）。第一の実施形態と異なり、灌水貯留槽７の内部に向けて突出した鍔部７ｇは形成されていない。給水材としての給水不織布１２と一連につながっている、配水部材としての不織布７ｆは、第一の実施形態では傾斜配水面７ｄおよび貯水部７ｃの一部のみに敷かれれていたが、本実施形態では、貯水部７ｃ全域を含めた灌水貯留槽７の底面全体に敷き詰められている。
【００７３】
本実施形態ではストッパ部材９の表面には、パンチング孔９ｂが形成されていない。また、図示例にあっては植栽ブロック受け皿３上の全ての箇所に植栽ブロック４を設けているが、第一の実施形態同様、一部の植栽ブロック４に代えて、断熱性透水層５ａと化粧板５ｂからなる断熱ブロック５を設けることとしてもよい。また、図７や図８では簡略化のため、緑化植物４ｅなどを省略して図示している。
【００７４】
以上のような構成の第二の実施形態にあっても、上記第一の実施形態と同様の作用効果を奏することはもちろんである。特に本実施形態にあっては、サイドプレート兼アンカープレート１３を利用して、各植栽ブロック受け皿３および灌水貯留槽７の側面を形成すると共に、これらを外壁面Ｗに取り付けることとしたので、部品点数の削減を図ることができる。また、植栽ブロック受け皿３の係合部３ｂを省略することができ、植栽ブロック受け皿３の形状の簡素化を図ることができる。
【００７５】
また給水材として、給水管８を用いる代わりに灌水貯留槽７の底面に敷き詰められた配水部材から、各開口を通って一連に形成される給水不織布１２を使用することとしたので、製造コストの削減を図ることができるとともに、給水管８を灌水貯留槽７や各植栽ブロック受け皿３および外壁面Ｗに取り付ける作業を省略することができるので、壁面緑化設備１の設置作業の簡単化を図ることができる。また、各植栽ブロック受け皿３の奥側に給水管８を設けるためのスペースを省略することができるので、奥行き方向の省スペース化を図ることができるとともに、建物の外断熱効果を向上させることができる。
【００７６】
なお、壁面緑化設備１全体の寸法、植栽ブロック受け皿３の段数、植栽ブロック受け皿３上に配列される植栽ブロック４、および断熱ブロック５の寸法や個数などは、上記各実施形態の例に限定されるものではなく、適宜変更が可能である。また、上記各実施形態では、１個の壁面緑化設備１を外壁面に設ける例について記載したが、大きな外壁面を対象とする場合などは、上下左右に複数の壁面緑化設備１を並設してもよい。
【図面の簡単な説明】
【００７７】
【図１】本発明にかかる壁面緑化設備の植栽ブロック受け皿の好適な一実施形態を示す正面から見た図である。
【図２】図１のＡ−Ａ線断面から見た図である。
【図３】本実施形態にかかる壁面緑化設備の、灌水貯留槽７のみを示す斜視図である。
【図４】図３のＢ−Ｂ線による模式的な断面図である。
【図５】本実施形態にかかる壁面緑化設備の、灌水貯留槽７の開口付近を示す要部拡大斜視図である。
【図６】本実施形態にかかる壁面緑化設備の、植栽ブロックの斜視図である。
【図７】本発明にかかる壁面緑化設備の植栽ブロック受け皿の第二の実施形態を示す正面図である。
【図８】図７のＣ−Ｃ線断面図である。
【図９】第二の実施形態にかかる壁面緑化設備の、灌水貯留槽７の奥側側面７ａの部分正面図である。
【符号の説明】
【００７８】
１  壁面緑化設備
３  植栽ブロック受け皿
３ａ  背板
３ｃ  植栽ブロック脱落防止部
３ｄ  皿底部
３ｆ  堰部
３ｇ  受水部
３ｈ  貯留部
３ｉ  溢水孔
４  植栽ブロック
４ａ  不織布
４ｂ  緑化基材
４ｃ  基材部
４ｄ  植設孔
４ｅ  緑化植物
５  断熱ブロック
５ａ  断熱性透水層
５ｂ  化粧板
６  灌水装置
７  灌水貯留槽
７ｂ  開口
７ｃ  貯水部
７ｄ  傾斜配水面
７ｆ  不織布
７ｇ  鍔部
７ｉ  導水部材
８  給水管
９  ストッパ部材
１２  給水不織布
【図１】
2006129846.tif 000003
【図２】
2006129846.tif 000004
【図３】
2006129846.tif 000005
【図４】
2006129846.tif 000006
【図５】
2006129846.tif 000007
【図６】
2006129846.tif 000008
【図７】
2006129846.tif 000009
【図８】
2006129846.tif 000010
【図９】
2006129846.tif 000011